(57)【要約】【課題】放送エリアごとに異なった番組が放送されている場合に、受信側の設定を容易にしたい。【解決手段】管理装置１０は、変調信号を出力する。複数の送信装置１２は、入力した変調信号を無線周波数帯へ周波数変換し、周波数変換した変調信号のうち、少なくともひとつのセグメント成分を送信信号として出力する。複数の送信装置１２のそれぞれは、周波数変換した変調信号の帯域のうち、出力すべき少なくともひとつのセグメント成分を配置した第１セグメントが、周波数変換した変調信号の帯域のうち、予め定められた一部の第２セグメントとずれている場合に、当該セグメント成分を第２セグメントへ移動させるような周波数変換も実行する。複数の送信装置１２のそれぞれに対して、出力すべき少なくともひとつのセグメント成分が異なっていても、複数の送信装置１２にわたって、第２セグメントが共通に規定されている。【選択図】図１
2010136020.tif 000002
【特許請求の範囲】
【請求項１】
複数のセグメント成分が周波数領域にて多重された変調信号を入力する入力部と、
前記入力部において入力した変調信号を無線周波数帯へ周波数変換し、周波数変換した変調信号のうち、少なくともひとつのセグメント成分を送信信号として出力する変換部とを備え、
前記変換部は、周波数変換した変調信号のうち、出力すべき少なくともひとつのセグメント成分を配置した第１セグメントが、予め定められた一部の第２セグメントとずれている場合に、当該セグメント成分を第２セグメントへ移動させるような周波数変換も実行することを特徴とする送信装置。
【請求項２】
複数のセグメント成分が周波数領域にて多重された変調信号を出力する管理装置と、
前記管理装置から入力した変調信号を無線周波数帯へ周波数変換し、周波数変換した変調信号のうち、少なくともひとつのセグメント成分を送信信号として出力する複数の送信装置とを備え、
前記複数の送信装置のそれぞれは、周波数変換した変調信号のうち、出力すべき少なくともひとつのセグメント成分を配置した第１セグメントが、予め定められた一部の第２セグメントとずれている場合に、当該セグメント成分を第２セグメントへ移動させるような周波数変換も実行し、
前記複数の送信装置のそれぞれに対して、第１セグメントが異なっていても、前記複数の送信装置にわたって、第２セグメントが共通に規定されていることを特徴とする送信システム。
【請求項３】
前記管理装置は、前記複数の送信装置のそれぞれへ、変調信号とは別の帯域にて制御信号を出力しており、制御信号において、前記複数の送信装置のそれぞれに対して、出力すべき少なくともひとつのセグメント成分を指示することを特徴とする請求項２に記載の送信システム。
【発明の詳細な説明】
【技術分野】
【０００１】
本発明は、送信技術に関し、特に放送信号を送信する送信装置およびそれを利用した送信システムに関する。
【背景技術】
【０００２】
テレビジョン放送システム等の放送システムにおいては、放送局から電磁波として信号が送信される。テレビジョン放送受像装置は、放送局から送信された信号を受信し、受信した信号から画像情報、音声情報等を取得する。放送局が送信する信号については、放送局が放送圏とする地域に存在するテレビジョン放送受像装置において所定の品質の情報が得られるよう、送信電力、所望信号対妨害波比等の規定が定められている。しかしながら、放送局がその規定を満足する信号を送信したとしても、放送圏内において電磁波の障害物等が存在すると、テレビジョン放送受像装置において受信される信号の電界強度が不十分となり、放送圏内において所定の品質の情報が得られない地域が生じる。そこで、このような品質劣化地域を減少させるため、放送局から送信された信号を受信し、増幅して送信する中継を行う中継装置が放送圏内に設置される。
【０００３】
例えば、中継装置は、受信アンテナによって、複数のチャンネルによって形成されたアナログ変調信号を受信し、受信した信号を分波器に出力する。分波器は、受信した信号をチャンネル単位に分離する。すなわち、分波器は、所望のチャンネル以外の周波数帯域の信号を減衰させた信号を出力する。分波器は、複数の信号を複数のチャンネル帯域内増幅部に出力する。チャンネル帯域内増幅部のそれぞれは、チャンネル単位の信号を増幅した後、中間周波数帯域の信号に変換する。また、所望のチャンネル以外の信号を減衰させる帯域制限を行った後、中間周波数での増幅を行い、再び放送周波数帯域に変換してから、増幅する。増幅された複数の信号は、合波器に出力される。合波器は、複数の信号を合成する。合波器によって合成した信号は、送信アンテナを介して電磁波として送信される。
【０００４】
このような中継装置は、受信した信号を複数のチャンネルに分離し、それぞれのチャンネルの周波数帯域に対し個別に帯域制限および増幅等を行う。これは、互いに異なる複数のチャンネル周波数帯域のアナログ変調信号が互いに影響し合って発生する相互変調による妨害波、あるいは、各チャンネル周波数帯域に近い周波数帯域に重畳するノイズによって発生する妨害波をできるだけ低減させるためである（例えば、特許文献１、２参照）。近年、ディジタル変調された信号を用いて情報を送信するディジタルテレビジョン放送が利用されるようになっており、アナログ変調信号とディジタル変調信号とが混在する状況となっている。このような状況下においても、前述の中継装置が使用される。一般的に、ディジタルテレビジョン放送は、従来のテレビジョン放送よりも多くのチャンネルによって構成される。そのため、前述の構成では、チャンネル数に応じたチャンネル帯域内増幅部が必要となるので、チャンネル数が増加するにつれて回路が大規模な構成となり、製造コストが増大してしまう。
【０００５】
これを解決するために、複数のチャンネルに対応した帯域を通過可能なディジタルフィルタを備えた中継装置が提案されている。また、ディジタルフィルタは、複数のタップにて構成されており、複数のタップのそれぞれに対応した係数は、可変の値に設定される。そのため、中継すべきチャンネルを通過するバンドパスフィルタを実現するようなタップ係数が、ディジタルフィルタに設定されることによって、中継装置は、所望のチャンネルを選択的に中継できる（例えば、特許文献３参照）。
【特許文献１】特開２０００−３２４０３６号公報
【特許文献２】特開２００７−２８８５７２号公報
【特許文献３】特開２００７−０４３５８３号公報
【発明の開示】
【発明が解決しようとする課題】
【０００６】
ディジタルテレビジョン放送では、ひとつのチャンネルを複数のセグメントに分割し、各セグメントにて別々の番組を放送することが可能である。放送事業者は、少なくともひとつのセグメントにて番組を放送できる。また、放送事業者以外の団体等にとって、自主番組を放送したいという要望がある。例えば、商店街やショッピングセンター等の限られたエリアにおいて、店舗の広告のような番組を放送したいという要望である。ディジタルテレビジョン放送に対応した受像装置をユーザが既に所有している場合、自主番組がディジタルテレビジョン放送に対応していれば、追加の投資がなくても、ユーザは自主番組を視聴できる。その際、例えば、各セグメントには、互いに異なった自主番組が配置される。
【０００７】
放送のエリアを拡大するためには、放送装置や中継装置が複数設置されるべきである。放送装置等が、互いに異なった番組や自主番組を放送する場合、これらの放送装置等は、互いに異なったセグメントを使用する。そのため、ユーザが受像装置を使用しながら、複数の放送エリアをまたいで移動する場合、ユーザには、放送エリアごとにセグメントを設定することが要求される。ユーザの利便性を考慮すると、受信すべきセグメントの設定が容易である方が好ましい。
【０００８】
本発明はこうした状況に鑑みてなされたものであり、その目的は、放送エリアごとに異なった番組が放送されている場合に、受信側の設定を容易にする技術を提供することにある。
【課題を解決するための手段】
【０００９】
上記課題を解決するために、本発明のある態様の送信装置は、複数のセグメント成分が周波数領域にて多重された変調信号を入力する入力部と、入力部において入力した変調信号を無線周波数帯へ周波数変換し、周波数変換した変調信号のうち、少なくともひとつのセグメント成分を送信信号として出力する変換部とを備える。変換部は、周波数変換した変調信号のうち、出力すべき少なくともひとつのセグメント成分を配置した第１セグメントが、予め定められた一部の第２セグメントとずれている場合に、当該セグメント成分を第２セグメントへ移動させるような周波数変換も実行する。
【００１０】
この態様によると、出力すべきセグメント成分を配置したセグメントが、予め定められたセグメントとずれている場合に、セグメント成分を後者のセグメントへ移動させるので、どのようなセグメント成分であっても、一定のセグメントで受信させることができる。
【００１１】
本発明の別の態様は、送信システムである。この送信システムは、複数のセグメント成分が周波数領域にて多重された変調信号を出力する管理装置と、管理装置から入力した変調信号を無線周波数帯へ周波数変換し、周波数変換した変調信号のうち、少なくともひとつのセグメント成分を送信信号として出力する複数の送信装置とを備える。複数の送信装置のそれぞれは、周波数変換した変調信号のうち、出力すべき少なくともひとつのセグメント成分を配置した第１セグメントが、予め定められた一部の第２セグメントとずれている場合に、当該セグメント成分を第２セグメントへ移動させるような周波数変換も実行し、複数の送信装置のそれぞれに対して、第１セグメントが異なっていても、複数の送信装置にわたって、第２セグメントが共通に規定されている。
【００１２】
この態様によると、複数の送信装置にわたって、第２セグメントが共通に規定されているので、放送エリアごとに異なった番組が放送されている場合であっても、受信側の設定を容易できる。
【００１３】
管理装置は、複数の送信装置のそれぞれへ、変調信号とは別の帯域にて制御信号を出力しており、制御信号において、複数の送信装置のそれぞれに対して、出力すべき少なくともひとつのセグメント成分を指示してもよい。この場合、変調信号とは別の帯域に割り当てた制御信号において、複数の送信装置のそれぞれに対して、出力すべき少なくともひとつのセグメント成分を指示するので、変調信号への影響を低減しながら、セグメント成分を指定できる。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、放送エリアごとに異なった番組が放送されている場合に、受信側の設定を容易できる。
【発明を実施するための最良の形態】
【００１６】
本発明を具体的に説明する前に、概要を述べる。本発明の実施例は、ディジタルテレビジョン放送に対応した信号（以下、「放送信号」という）を送信する放送システムに関する。放送信号では、複数の無線チャンネルに対して周波数多重がなされていることがあるが、ここでは、説明を明瞭にするためにひとつの無線チャンネルだけを説明の対象にする。また、無線チャンネルは、複数のセグメントによって形成されている。なお、ひとつの無線チャンネルに含まれたひとつのセグメントは、１セグメント放送として使用可能であるので、当該セグメントを受信するだけでも、番組が視聴される。放送事業者以外の団体等が放送信号を送信することによって自主番組を放送する場合に、放送エリアを拡大するために、複数の送信装置が設置される。
【００１７】
一方、複数の団体が放送システムを共有する場合に、団体によって自主番組を放送したいエリアが異なることもある。その際、各送信装置から、異なった自主番組が送信される。また、自主番組と、当該自主番組が配置されるセグメントとの関係が、固定されてる場合、ユーザが移動することによって放送エリアが変わると、使用されているセグメントも変わる。その結果、ユーザは、放送エリアが変わるごとに、セグメントを設定しなければならなくなる。これによって、ユーザの利便性が悪化するだけではなく、自主番組が受信されなくなる可能性も増加する。これに対応するために、次の処理が実行される。なお、以下の説明において、セグメントに配置したデータを「セグメント成分」とよぶ。
【００１８】
本発明の実施例では、管理装置に複数の送信装置が接続されている。管理装置は、セグメントごとに自主番組の内容を変えながら、複数のセグメント成分にて形成されたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を生成する。つまり、ＯＦＤＭ信号では、複数種類の自主番組が周波数多重されている。なお、管理装置は、複数の送信装置にわたって共通のＯＦＤＭ信号を生成し、複数の送信装置へ当該ＯＦＤＭ信号を出力する。複数の送信装置のそれぞれは、同一のＯＦＤＭ信号を入力する。また、各送信装置には、放送すべき自主番組関する情報、つまりＯＦＤＭ信号の中から放送すべきセグメント成分に関する情報がそれぞれ設定されている。
【００１９】
各送信装置は、ＯＦＤＭ信号のうち、放送すべきセグメント成分が共通のセグメントに配置されるように、ＯＦＤＭ信号を周波数変換する。例えば、共通のセグメントとして、ＯＦＤＭ信号の中心部分のセグメントが使用される。つまり、複数の送信装置では、周波数変換の際の周波数シフト量が異なっているので、互いに異なった自主番組を同一のセグメントにて放送する。なお、複数の送信装置は、互いの干渉が小さくなるような位置に設置されている。受信装置は、どの放送エリアに存在するかに関係なく、ＯＦＤＭ信号の中心部分のセグメントに配置されたセグメント成分を受信すれば、各送信装置から放送されている自主番組を再生できる。
【００２０】
なお、デジタルラジオ放送に対して、ひとつのセグメント成分を３つのセグメント成分と読み替えることによって、本実施例はデジタルラジオ放送に適用される。さらに、セグメントの概念を有するシステムに対して、少なくともひとつのセグメント成分であって、かつ復調可能な数のセグメント成分を抽出することによって、本実施例は当該システムに適用される。以下では、説明を明瞭にするためのこれらの変形例の説明を省略する。
【００２１】
図１は、本発明の実施例に係る放送システム１００の構成を示す。放送システム１００は、管理装置１０、送信装置１２と総称される第１送信装置１２ａ、第２送信装置１２ｂ、第Ｎ送信装置１２ｎ、受信装置１４を含む。また、第１送信装置１２ａは、第１送信用アンテナ２０ａを含み、第２送信装置１２ｂは、第２送信用アンテナ２０ｂを含み、第Ｎ送信装置１２ｎは、第Ｎ送信用アンテナ２０ｎを含む。ここで、第１送信用アンテナ２０ａ、第２送信用アンテナ２０ｂ、第Ｎ送信用アンテナ２０ｎは、送信用アンテナ２０と総称される。また、受信装置１４は、受信用アンテナ２２を含む。
【００２２】
管理装置１０は、複数のセグメント成分が周波数領域にて多重されたＯＦＤＭ信号を生成する。ここで、ＯＦＤＭ信号は、ディジタルテレビジョン放送に対応した形式を有する。また、ディジタルテレビジョン放送とは、例えば、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＶＢ（Ｄｉｇｉｔａｌ  Ｖｉｄｅｏ  Ｂｒｏａｄｃａｓｔｉｎｇ）にて規定されたシステムである。ＩＳＤＢ−ＴにおけるＯＦＤＭ信号には、４２９ＫＨｚ幅のセグメントが１３個含まれている。本実施例におけるＯＦＤＭ信号は、ＩＳＤＢ−Ｔ等と異なり、セグメントごとに異なった自主番組が配置されている。
【００２３】
つまり、セグメントごとにワンセグメント放送が実現されている。なお、ＯＦＤＭ信号では、変調方式としてＱＰＳＫが使用されている。管理装置１０は、ＯＦＤＭ信号に対して、ベースバンドから中間周波数帯への周波数変換を実行し、周波数変換したＯＦＤＭ信号（以下、ベースバンドのＯＦＤＭ信号および中間周波数帯のＯＦＤＭ信号とを区別せずに「変調信号」という）を複数の送信装置１２へ出力する。このように、管理装置１０は、複数の自主番組が含まれた変調信号を出力する。ここで、管理装置１０と複数の送信装置１２とは、例えば、同軸ケーブルによって接続されている。
【００２４】
複数の送信装置１２は、管理装置１０から入力した変調信号に対して、中間周波数帯から無線周波数帯への周波数変換を実行する。また、各送信装置１２に対して、周波数変換した変調信号のうち、放送すべきセグメント成分が予め定められており、送信装置１２は、当該セグメント成分を配置したセグメント（以下、「第１セグメント」という）を把握している。さらに、複数の送信装置１２に共通するように、周波数変換した変調信号のうち、放送に使用すべき一部のセグメント（以下、「第２セグメント」という）も予め定められている。例えば、周波数変換した変調信号での複数のセグメントのうち、中心部分のセグメントが第２セグメントとされる。
【００２５】
各送信装置１２は、第１セグメントが第２セグメントとずれている場合に、第１セグメントに含まれたセグメント成分を第２セグメントへ移動させるような周波数変換も実行する。ここで、複数の送信装置１２のそれぞれに対して、出力すべき少なくともひとつのセグメント成分が異なっていても、複数の送信装置１２にわたって、第２セグメントが共通に規定されている。さらに、送信装置１２は、第２セグメントを含むような帯域幅のＢＰＦ（Ｂａｎｄ  Ｐａｓｓ  Ｆｉｌｔｅｒ）によって、周波数変換した変調信号を帯域制限する。以下では、帯域制限の結果を「送信信号」という。各送信装置１２は、送信用アンテナ２０から送信信号を放送する。以下では、説明を明瞭にするために、複数の送信装置１２から放送される送信信号間の干渉は、受信装置１４の受信特性に影響ないものとする。
【００２６】
受信装置１４は、受信用アンテナ２２を介して、送信装置１２からの送信信号を受信する。また、受信装置１４は、送信信号を復調することによって、自主番組を再生する。また、受信装置１４は、図示しないモニタに自主番組を表示する。ここで、受信装置１４は、ユーザに携帯されて移動しており、第１送信装置１２ａの周囲において、第１送信装置１２ａからの送信信号を受信し、第２送信装置１２ｂの周囲において、第２送信装置１２ｂからの送信信号を受信する。なお、各送信装置１２からの送信信号は、いずれも第２セグメントに配置されているので、受信装置１４は、どこに存在しているかに関係なく、第２セグメントのセグメント成分を復調すればよい。
【００２７】
図２は、管理装置１０の構成を示す。管理装置１０は、記憶部３０、ＴＳ信号生成部３２、送信部３４、制御部３６を含む。また、送信部３４は、マッピング部３８、ＩＦＦＴ部４０、直交変調部４２、出力部４４を含む。
【００２８】
記憶部３０は、複数種類の自主番組を記憶する。ここで、自主番組は、動画像データであり、かつデジタルデータとして形成されている。なお、このような動画像データやデジタルデータには公知の技術が使用されればよいので、ここでは説明を省略する。ＴＳ信号生成部３２は、記憶部３０から複数種類の自主番組を抽出し、それらからＴＳ（Ｔｒａｎｓｐｏｒｔ  Ｓｔｒｅａｍ）信号を逐次生成する。ＴＳ信号には公知の技術が使用されればよいが、ここでは、複数種類の自主番組のそれぞれが、互いに異なったセグメントに配置されるように、ＴＳ信号が生成される。ＴＳ信号生成部３２は、ＴＳ信号をマッピング部３８へ出力する。
【００２９】
マッピング部３８は、ＴＳ信号生成部３２からＴＳ信号を受けつける。マッピング部３８は、ＴＳ信号に含まれた複数種類の自主番組を互いに異なったセグメントに配置させる。また、マッピング部３８は、自主番組に対応したデータを変調する。マッピング部３８は、変調に使用すべき変調方式として、ＱＰＳＫを使用する。変調結果が、周波数領域のＯＦＤＭ信号に相当する。マッピング部３８は、周波数領域のＯＦＤＭ信号をＩＦＦＴ部４０へ逐次出力する。ＩＦＦＴ部４０は、マッピング部３８からの周波数領域のＯＦＤＭ信号を受けつける。ＩＦＦＴ部４０は、周波数領域のＯＦＤＭ信号に対してＩＦＦＴを実行することによって、時間領域のＯＦＤＭ信号を生成する。ここで、周波数領域のＯＦＤＭ信号および時間領域のＯＦＤＭ信号は、ディジタルテレビジョン放送において定められたＯＦＤＭ信号に相当する。ＩＦＦＴ部４０は、時間領域のＯＦＤＭ信号を直交変調部４２へ逐次出力する。
【００３０】
直交変調部４２は、ＩＦＦＴ部４０からの時間領域のＯＦＤＭ信号を直交変調することによって、中間周波数帯のＯＦＤＭ信号を生成する。このような中間周波数帯のＯＦＤＭ信号が、前述の変調信号ともいえる。変調信号も、複数のセグメント成分が周波数領域にて多重された信号である。直交変調部４２は、変調信号を出力部４４へ出力する。出力部４４は、同軸ケーブルに接続されており、同軸ケーブルを介して、複数の送信装置１２へ変調信号を出力する。ここでは、複数の送信装置１２へ変調信号が報知されるものとする。制御部３６は、管理装置１０全体の動作を制御する。
【００３１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３２】
図３は、送信装置１２の構成を示す。送信装置１２は、入力部５０、設定部５２、局部発信部５４、周波数変換部５６、ＢＰＦ部５８、制御部６０、送信用アンテナ２０を含む。図１のごとく、放送システム１００には、複数の送信装置１２が含まれている。
【００３３】
入力部５０は、同軸ケーブルに接続され、同軸ケーブルを介して、図示しない管理装置１０からの変調信号を入力する。図４（ａ）−（ｅ）は、送信装置１２における処理の概要を示す。図４（ａ）は、入力部５０に入力された変調信号を周波数領域にて示した図である。つまり、図４（ａ）は、変調信号のスペクトラムを示す。図の左側が低周波数側に相当し、図の右側が高周波数側に相当する。また、ひとつの変調信号は、前述のごとく、１３個のセグメントに分割されており、セグメント番号が、低周波数側から順番に、「１１」、「９」、「７」、・・・、「１０」、「１２」のように付与されている。前述のごとく、各セグメントに、別の自主番組が配置されている。図４（ｂ）−（ｅ）の説明は、後述する。図３に戻る。入力部５０は、周波数変換部５６へ変調番組を出力する。
【００３４】
設定部５２は、図示しないインターフェイスを介して、ユーザから放送すべきひとつのセグメント成分に関する指示を受けつける。放送すべきひとつのセグメント成分に関する指示は、図４（ａ）のようなセグメント番号によって示されており、例えば、セグメント番号「６」のように示されている。ここで、放送すべきひとつのセグメントが、前述の第１セグメントに相当する。設定部５２は、受けつけた指示をもとに、局部発信部５４からの局部発振信号の周波数を設定する。具体的に説明すると、中間周波数帯と無線周波数帯との間の周波数の差異（以下、「第１差異」という）と、指示されたセグメント番号と第２セグメントのセグメント番号との間の周波数の差異（以下、「第２差異」という）とを合成した周波数になるように、局部発振信号の周波数が定められる。
【００３５】
ここで、第２セグメントのセグメント番号は、「０」、つまり変調信号の中心部分のセグメントとして規定される。なお、以下では、中間周波数帯であるか無線周波数帯であるかにかかわらず、図４（ａ）のように示された信号は、変調信号とよばれる。第１差異Δｆ１は、無線周波数帯の中心周波数ｆ１と中間周波数帯の中心周波数ｆ２とをもとに、Δｆ１＝ｆ１−ｆ２として定められる。一方、第２差異Δｆ２は、第２セグメントの中心周波数ｆ３とｆ２とをもとに、Δｆ２＝ｆ２−ｆ３として定められる。最終的に、設定部５２は、局部発振信号の周波数として、Δｆ１＋Δｆ２を設定する。
【００３６】
局部発信部５４は、設定部５２による設定に応じた周波数の局部発振信号を周波数変換部５６へ出力する。周波数変換部５６は、局部発信部５４からの局部発振信号を入力するとともに、入力部５０からの変調信号を入力する。また、周波数変換部５６は、局部発振信号によって、変調信号を無線周波数帯へ周波数変換する。その際、周波数変換部５６は、無線周波数帯での変調信号のうち、第１セグメントが、第２セグメントとずれている場合に、第１セグメントに含まれたセグメント成分を第２セグメントへ移動させるような周波数変換も実行する。
【００３７】
例えば、図４（ａ）において、第１セグメントがセグメント番号「６」に相当する場合、周波数変換部５６における周波数変換によって、図４（ｂ）のごとく、セグメント番号「６」が帯域の中心部分に配置される。なお、図４（ａ）は、中間周波数帯であり、図４（ｂ）は、無線周波数帯である。このような中間周波数帯から無線周波数帯への変換が、設定部５２での第１差異に相当し、セグメント番号「６」から帯域の中心部分、つまりセグメント番号「０」への移動が、設定部５２での第２差異による周波数変換に相当する。
【００３８】
また、第２差異が「０」である場合、図４（ａ）は、無線周波数帯での変調信号そのものであるともいえる。つまり、図４（ａ）のセグメント番号「１１」から「１２」によって占められる帯域が、無線周波数帯における変調信号の本来の帯域である。また、図４（ｂ）の場合、セグメント番号「１１」、「９」、「７」の部分が、無線周波数帯における変調信号の本来の帯域からはみ出している。一方、図４（ａ）において、第１セグメントがセグメント番号「７」に相当する場合、周波数変換部５６における周波数変換によって、図４（ｃ）のごとく、セグメント番号「７」が帯域の中心部分に配置される。ここでは、図４（ｂ）や図４（ｃ）のように、無線周波数帯における変調信号の本来の帯域からはみ出した部分を有する変調信号も、変調信号という。図３に戻る。周波数変換部５６は、変調信号をＢＰＦ部５８へ出力する。
【００３９】
ＢＰＦ部５８は、周波数変換部５６から変調信号を受けつける。また、ＢＰＦ部５８は、変調信号のうち、無線周波数帯における変調信号の本来の帯域からはみ出した部分を減衰させることによって、送信信号を生成する。図４（ｄ）、（ｅ）は、ＢＰＦ部５８の周波数特性を示す。図４（ｄ）では、無線周波数帯における変調信号の本来の帯域のうち、中心部分、つまり第２セグメントを通過させるような周波数特性が示されている。また、図５（ｂ）では、無線周波数帯における変調信号の本来の帯域を通過させるような周波数特性が示されている。送信用アンテナ２０は、送信信号を放送する。なお、周波数変換部５６とＢＰＦ部５８との間に、パワーアンプが備えられていてもよいが、パワーアンプは公知の技術であるので、ここでは説明を省略する。制御部６０は、送信装置１２全体の動作を制御する。
【００４０】
以上の構成による放送システム１００の動作を説明する。ユーザは、複数の送信装置１２のそれぞれに対して、放送すべきセグメント成分を設定する。管理装置１０は、複数のセグメント成分が周波数分割多重された変調信号を生成し、生成した変調信号を複数の送信装置１２へ出力する。各送信装置１２は、変調信号を受けつけ、変調信号を無線周波数帯へ周波数変換するとともに、変調信号において、放送すべきセグメント成分がセグメント番号「０」になるような周波数変換も実行することによって、送信信号を生成する。複数の送信装置１２のそれぞれは、送信信号を放送する。受信装置１４は、ユーザに携帯されており、複数の放送エリアをまたいで移動している。複数の放送エリアのそれぞれにおいて、セグメント番号「０」にて自主番組が放送されているので、受信装置１４は、セグメント番号「０」のみを固定的に受信することによって、自主番組を再生できる。
【００４１】
次に、本発明の変形例を説明する。変形例も、実施例と同様の放送システムに関する。実施例において、ユーザは、複数の送信装置１２のそれぞれに対して、送信すべきセグメント成分に関する指示を直接入力している。一方、変形例における管理装置１０は、複数の送信装置１２のそれぞれに対して、送信すべきセグメント成分に関する指示をテーブルとして記憶する。管理装置１０は、当該テーブルを制御信号に格納して、制御信号を複数の送信装置１２へ出力する。その際、管理装置１０は、変調信号を配置している帯域とは別の帯域に制御信号を配置する。
【００４２】
複数の送信装置１２のそれぞれは、制御信号を入力し、送信すべきセグメント成分を特定する。これ以降の各送信装置１２における処理は、実施例と同様である。変形例に係る放送システム１００の構成は、図１と同様のタイプであり、変形例に係る管理装置１０の構成は、図２と同様のタイプである。変形例に係る管理装置１０は、複数の送信装置１２のそれぞれへ、変調信号とは別の帯域にて制御信号を出力しており、制御信号において、複数の送信装置１２のそれぞれに対して、出力すべきひとつのセグメント成分を指示する。つまり、前述のテーブルが制御信号に格納されている。ここで、テーブルは、例えば、ユーザによる入力によって生成される。なお、制御信号およびテーブルの詳細は後述する。
【００４３】
図５は、本発明の変形例に係る送信装置１２の構成を示す。図５の送信装置１２では、図３に示された送信装置１２に対して、抽出部６２、特定部６４が追加される。入力部５０は、前述のごとく、同軸ケーブルに接続されて、図示しない管理装置１０からの変調信号を入力する。さらに、入力部５０は、同軸ケーブルを介して管理装置１０からの制御信号も入力する。前述のごとく、変調信号と制御信号とは互いに異なった帯域に配置されている。図６は、入力部５０に入力される信号のスペクトラムを示す。図の横軸は、周波数を示す。変調信号２０２は、図４（ａ）に相当する。また、変調信号２０２の低周波数側に制御信号２００が配置されている。図５に戻る。
【００４４】
抽出部６２は、入力部５０において入力した変調信号および制御信号から、制御信号を抽出する。抽出部６２は、図６の制御信号２００の部分を抽出するフィルタとして形成される。また、抽出部６２は、抽出した制御信号を復調することによって、制御信号に格納されたテーブルを取得する。図７は、抽出部６２において抽出される制御信号のデータ構造を示す。図示のごとく、送信装置名欄２１０、使用セグメント欄２１２が含まれる。送信装置名欄２１０には、各送信装置１２の名称が示されている。使用セグメント欄２１２には、各送信装置１２が送信すべきセグメント番号が示される。図５に戻る。抽出部６２は、取得したテーブルを特定部６４へ出力する。
【００４５】
特定部６４は、抽出部６２からのテーブルを受けつける。特定部６４は、自らの送信装置１２の名称を予め記憶しており、図７の送信装置名欄２１０を検索することによって、自らの送信装置１２の名称を特定する。また、特定部６４は、特定した送信装置１２の名称に対応したセグメント番号を特定する。特定部６４は、特定したセグメント番号を設定部５２へ出力する。設定部５２は、特定部６４からのセグメント番号を受けつける。設定部５２は、前述のユーザから放送すべきひとつのセグメント成分に関する指示として、受けつけたセグメント番号を使用する。つまり、受けつけたセグメント番号を第１セグメントとして前述の処理を実行する。
【００４６】
本発明の実施例によれば、出力すべきひとつのセグメント成分を配置した第１セグメントが、予め定められた第２セグメントとずれている場合に、セグメント成分を第２セグメントへ移動させるので、どのようなセグメント成分であっても、第２セグメントで受信させることができる。どのようなセグメント成分であっても、第２セグメントで受信させるので、送信装置に関係なく、固定のセグメントを放送に使用できる。また、送信装置に関係なく、固定のセグメントが放送に使用されるので、固定のセグメントにて受信装置に放送を受信させることができる。また、固定のセグメントにて受信装置に放送を受信させるので、受信装置でのセグメントの設定を容易にできる。また、複数の送信装置にわたって、第２セグメントが共通に規定されているので、放送エリアごとに異なった自主番組が放送されている場合であっても、受信装置のセグメントの設定を容易にできる。また、受信装置でのセグメントの設定が容易にされるので、自主番組が受信される機会を増加できる。
【００４７】
また、変調信号とは別の帯域に制御信号を割り当てるので、変調信号への影響を低減できる。また、変調信号への影響が低減されるので、自主番組の品質の悪化を抑制できる。また、制御信号において、複数の送信装置のそれぞれに対して、出力すべきひとつのセグメント成分を指示するので、セグメント成分を自由に指定できる。また、管理装置が、出力すべきひとつのセグメント成分を指示するので、複数の送信装置のそれぞれに対する制御を容易にできる。また、テーブルを変調信号に含めないので、送信装置における変調信号の復調を省略できる。また、送信装置における変調信号の復調が省略されるので、送信装置の処理を簡易にできる。また、複数の送信装置から放送される放送信号に対する変調処理が管理装置にて一括して実行されるので、送信装置の処理を簡易にできる。また、複数の送信装置を有する送信システムにおいて、１台の管理装置で対応することができる。また、１台の管理装置で対応するので、ＩＦＦＴ部のような変調器を送信装置と同じ数だけ備えることを回避できる。
【００４８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４９】
本発明の実施例において、放送システム１００から放送される番組は、自主番組であるとされている。しかしながらこれに限らず例えば、放送される番組は自主番組でなく、放送事業者による番組であってもよい。本変形例によれば、放送システム１００によって所望の番組を放送できる。
【００５０】
本発明の実施例において、ＴＳ信号生成部３２は、記憶部３０に記憶された自主番組のデジタルデータをもとにＴＳ信号を生成している。しかしながらこれに限らず例えば、ＴＳ信号生成部３２によるこのような処理は省略されてもよい。その際、記憶部３０には、ＴＳ信号が記憶される。マッピング部３８は、記憶部３０に記憶されたＴＳ信号を受けつける。本変形例によれば、管理装置１０の構成の自由度を向上できる。
【００５１】
本発明の実施例において、マッピング部３８は、ＱＰＳＫによる変調を実行している。しかしながらこれに限らず例えば、ＱＰＳＫ以外の変調方式として、１６ＱＡＭ、６４ＱＡＭ等が使用されてもよく、変調方式が可変に設定されてもよい。なお、変調方式を可変に設定するために公知の技術が使用されればよいので、ここでは説明を省略する。本変形例によれば、放送システム１００の構成の自由度を向上できる。
【００５２】
本発明の実施例において、管理装置１０と送信装置１２とは、同軸ケーブルにて接続されている。しかしながらこれに限らず例えば、管理装置１０と送信装置１２とは、有線ＬＡＮ（Ｌｏｃａｌ  Ａｒｅ  Ｎｅｔｗｏｒｋ）、無線ＬＡＮ等の通信システムにて接続されてもよい。その際、管理装置１０は、変調信号や制御信号をＩＰパケットに格納して、ＩＰパケットを送信装置１２へ送信する。また、送信装置１２は、ＩＰパケットから、変調信号や制御信号を抽出する。また、変調信号と制御信号とが、異なった手段で伝送されてもよい。例えば、変調信号が同軸ケーブルで伝送され、制御信号が無線ＬＡＮで伝送されてもよい。さらに、変調信号や制御信号が、光ファイバーケーブル伝送路、無線ＬＡＮ以外の無線伝送路で伝送されてもよい。本変形例によれば、放送システム１００の構成の自由度を向上できる。
【００５３】
本発明の実施例において、各自主番組は、ひとつのセグメントに配置されている。しかしながらこれに限らず例えば、自主番組が複数のセグメントに配置されていてもよい。その際、セグメント番号「０」、「１」、「２」のごとく、第２セグメントから連続して帯域が拡大するように、使用すべきセグメントの優先順位が設定される。送信装置１２は、優先順位の高いセグメントを優先的に使用するように周波数変換を実行する。本変形例によれば、自主番組の帯域が拡大する場合であっても、自主番組を放送できる。
【００５４】
本発明の実施例において、管理装置１０は、複数の送信装置１２に関する情報をまとめるようにテーブルを生成し、テーブルを複数の送信装置１２へ送信している。しかしながらこれに限らず例えば、管理装置１０は、各送信装置１２に対して、テーブルをそれぞれ作成し、テーブルに対応した送信装置１２のみへ当該テーブルを出力してもよい。本変形例によれば、テーブルのフォーマットの自由度を向上できる。
【００５５】
本発明の変形例において、周波数変換部５６が、第２差異に応じた周波数シフトを実行した後に、ＢＰＦ部５８が、帯域制限を実行している。しかしながらこれに限らず例えば、ＢＰＦ部５８が、出力すべきセグメント成分を抽出するような帯域制限を実行した後に、周波数変換部５６が、第２差異に応じた周波数シフトを実行してもよい。本変形例によれば、帯域幅を先に制限することによって、それに続く構成を簡易にできる。
【図面の簡単な説明】
【００５６】
【図１】本発明の実施例に係る放送システムの構成を示す図である。
【図２】図１の管理装置の構成を示す図である。
【図３】図１の送信装置の構成を示す図である。
【図４】図４（ａ）−（ｅ）は、図３の送信装置における処理の概要を示す図である。
【図５】本発明の変形例に係る送信装置の構成を示す図である。
【図６】図５の入力部に入力される信号のスペクトラムを示す図である。
【図７】図５の抽出部において抽出される制御信号のデータ構造を示す図である。
【符号の説明】
【００５７】
１０  管理装置、  １２  送信装置、  １４  受信装置、  ２０  送信用アンテナ、  ２２  受信用アンテナ、  ５０  入力部、  ５２  設定部、  ５４  局部発信部、  ５６  周波数変換部、  ５８  ＢＰＦ部、  ６０  制御部、  ６２  抽出部、  ６４  特定部、  １００  放送システム。
【図１】
2010136020.tif 000003
【図２】
2010136020.tif 000004
【図３】
2010136020.tif 000005
【図４】
2010136020.tif 000006
【図５】
2010136020.tif 000007
【図６】
2010136020.tif 000008
【図７】
2010136020.tif 000009